(57)【要約】【課題】通信装置の収容先を効率よく変更できる変更方法と通信システムを提供する。【解決手段】第１通信網への通信装置の収容を制御する第１制御手段、第２通信網への通信装置の収容を制御する第２制御手段、所定通信装置の収容先のアドレス情報を格納する管理手段、および移行制御手段を含む通信システムでの収容先の変更方法は、移行制御手段が、所定通信装置の収容先を第１通信網から第２通信網に切り替える旨の切替指示を受け付けると、管理手段内の所定通信装置の収容先のアドレス情報を第２制御手段のアドレス情報に書き換え、管理手段が、所定通信装置の収容先のアドレス情報の変更後に所定通信装置から取得要求を受信すると、第２制御手段のアドレス情報を所定通信装置に送信し、第２制御手段が、所定通信装置が第２制御手段のアドレス情報を用いて送信したレジスタ情報を受信すると、レジスタ情報を格納し所定通信装置を第２通信網に収容する。【選択図】図１
2010199698.tif 000002
【特許請求の範囲】
【請求項１】
第１通信網内に設けられ当該第１通信網への通信装置の収容を制御する第１制御手段と、第２通信網内に設けられ当該第２通信網への通信装置の収容を制御する第２制御手段と、所定通信装置の収容先のアドレス情報を格納する管理手段と、移行制御手段と、を含む通信システムでの通信装置の収容先の変更方法であって、
前記移行制御手段が、前記所定通信装置の収容先を前記第１通信網から前記第２通信網に切り替える旨の切替指示を受け付けると、前記管理手段内の前記所定通信装置の収容先のアドレス情報を、前記第１制御手段のアドレス情報から前記第２制御手段のアドレス情報に書き換え、
前記管理手段が、前記所定通信装置の収容先のアドレス情報の変更後に前記所定通信装置から取得要求を受信すると、前記第２制御手段のアドレス情報を、前記所定通信装置に送信し、
前記第２制御手段が、前記所定通信装置が前記第２制御手段のアドレス情報を用いて送信した、前記所定通信装置と通信するためのレジスタ情報を受信すると、当該レジスタ情報を格納して、前記所定通信装置を前記第２通信網に収容する、通信装置の収容先の変更方法。
【請求項２】
請求項１に記載の通信装置の収容先の変更方法において、
前記第１制御手段が、前記所定通信装置への接続要求の処理方法を表す処理方法データを格納し、前記所定通信装置が前記第１通信網に収容されている間、前記処理方法データに基づいて、前記所定通信装置への接続要求を処理し、
前記移行制御手段が、前記切替指示を受け付けると、さらに、前記第１制御手段内の前記処理方法データを収集し、当該処理方法データを、前記第２制御手段に送信し、
前記第２制御手段が、前記移行制御手段から前記処理方法データを受信すると、当該処理方法データを格納し、前記所定通信装置が前記第２通信網に収容されている間、当該処理方法データに基づいて、前記所定通信装置への接続要求を処理する、通信装置の収容先の変更方法。
【請求項３】
請求項１に記載の通信装置の収容先の変更方法において、
前記所定通信装置は、複数台存在するものであり、
前記第１制御手段が、前記所定通信装置ごとに、当該所定通信装置と対応づけて、当該所定通信装置への接続要求の処理方法を表す処理方法データを格納し、当該所定通信装置が前記第１通信網に収容されている間、当該所定通信装置に対応する前記処理方法データに基づいて、当該所定通信装置への接続要求を処理し、
前記移行制御手段が、前記切替指示を受け付けると、さらに、前記第１制御手段に格納されている複数の処理方法データを収集し、当該複数の処理方法データをまとめて、前記第２制御手段に送信し、
前記第２制御手段が、前記移行制御手段から前記処理方法データを受信すると、当該処理方法データを格納し、前記所定通信装置が前記第２通信網に収容されている間、当該処理方法データに基づいて、前記所定通信装置への接続要求を処理する、通信装置の収容先の変更方法。
【請求項４】
請求項２に記載の通信装置の収容先の変更方法において、
前記移行制御手段が、前記第１制御手段から収集した処理方法データの様式を前記第２制御手段用に変換し、変換後の処理方法データを、前記第２制御手段に送信する、通信装置の収容先の変更方法。
【請求項５】
請求項３に記載の通信装置の収容先の変更方法において、
前記移行制御手段が、前記第１制御手段から収集した複数の処理方法データの様式を前記第２制御手段用に変換し、変換後の複数の処理方法データをまとめて、前記第２制御手段に送信する、通信装置の収容先の変更方法。
【請求項６】
請求項２から５のいずれか１項に記載の通信装置の収容先の変更方法において、
前記移行制御手段が、前記切替指示を受け付けると、さらに、前記第１制御手段内の前記処理方法データの変更を禁止し、その後、前記第１制御手段内の前記処理方法データを読み取ることによって収集する、通信装置の収容先の変更方法。
【請求項７】
請求項６に記載の通信装置の収容先の変更方法において、
前記管理手段が、前記第２制御手段のアドレス情報を前記所定通信装置に送信すると、送信済み情報を、前記移行制御手段に送信し、
前記移行制御手段が、前記送信済み情報を受信すると、前記第１制御手段内の前記処理方法データを削除する、通信装置の収容先の変更方法。
【請求項８】
請求項２から７のいずれか１項に記載の通信装置の収容先の変更方法において、
前記第２制御手段が、前記処理方法データを格納してから前記レジスタ情報を受信するまでの間、当該処理方法データの変更を禁止する、通信装置の収容先の変更方法。
【請求項９】
請求項２から８のいずれか１項に記載の通信装置の収容先の変更方法において、
前記移行制御手段が、前記切替指示を受け付けると、前記第１制御手段および前記第２制御手段に、前記所定通信装置が移行中である旨の設定を実行させる、通信装置の収容先の変更方法。
【請求項１０】
請求項９に記載の通信装置の収容先の変更方法において、
前記管理手段が、前記第２制御手段のアドレス情報を前記所定通信装置に送信すると、送信済み情報を、前記移行制御手段に送信し、
前記移行制御手段が、前記送信済み情報を受信すると、前記第１制御手段および前記第２制御手段に、前記所定通信装置が移行中である旨の設定を解除させる、通信装置の収容先の変更方法。
【請求項１１】
請求項１から１０のいずれか１項に記載の通信装置の収容先の変更方法において、
前記第１制御手段は、前記所定通信装置への接続要求を受け付けた状況において、前記所定通信装置が既に前記第２通信網に収容されている場合には、前記接続要求を前記第２制御手段に提供し、前記所定通信装置がまだ前記第２通信網に収容されていない場合には、前記接続要求を前記所定通信装置に提供し、
前記第２制御手段は、前記所定通信装置への接続要求を受け付けた状況において、前記所定通信装置が既に前記第２通信網に収容されている場合には、前記接続要求を前記所定通信装置に提供し、前記所定通信装置がまだ前記第２通信網に収容されていない場合には、前記接続要求を前記第１制御手段に提供する、通信装置の収容先の変更方法。
【請求項１２】
請求項１から１１のいずれか１項に記載に通信装置の収容先の変更方法において、
前記移行制御手段が、通知サーバに、収容先の変更に要する工事時間を設定し、
前記通知サーバが、前記所定通信装置に前記工事時間を通知する、通信装置の収容先の変更方法。
【請求項１３】
第１通信網内に設けられ当該第１通信網への通信装置の収容を制御する第１制御手段と、
第２通信網内に設けられ当該第２通信網への通信装置の収容を制御する第２制御手段と、
所定通信装置の収容先のアドレス情報を格納する管理手段と、
前記所定通信装置の収容先を前記第１通信網から前記第２通信網に切り替える旨の切替指示を受け付けると、前記管理手段内の前記所定通信装置の収容先のアドレス情報を、前記第１制御手段のアドレス情報から前記第２制御手段のアドレス情報に書き換える移行制御手段と、を含み、
前記管理手段は、前記所定通信装置の収容先のアドレス情報の変更後に前記所定通信装置から取得要求を受信すると、前記第２制御手段のアドレス情報を、前記所定通信装置に送信し、
前記第２制御手段は、前記所定通信装置が前記第２制御手段のアドレス情報を用いて送信した、前記所定通信装置と通信するためのレジスタ情報を受信すると、当該レジスタ情報を格納して、前記所定通信装置を前記第２通信網に収容する、通信システム。
【発明の詳細な説明】
【技術分野】
【０００１】
本発明は、通信装置の収容先の変更方法および通信システムに関し、例えば、光電話ユーザ網に収容されているＩＰ電話端末を、次世代通信網（ＮＧＮ）に移行して収容する、通信装置の収容先の変更方法および通信システムに関する。
【背景技術】
【０００２】
近年、インターネットを使った情報の取得や情報の交換が普及し、また、インターネットの標準化が、ＩＥＴＦ  ＲＦＣ（Ｉｎｔｅｒｎｅｔ  Ｅｎｇｉｎｅｅｒｉｎｇ  Ｔａｓｋ  Ｆｏｒｃｅ  Ｒｅｑｕｅｓｔ  Ｆｏｒ  Ｃｏｍｍｅｎｔ）等で行われている。
【０００３】
一方、国際通信連合（ＩＴＵ−Ｔ）では、２００１年から次世代通信網（ＮＧＮ）の国際標準化の議論が進められている。また、国内においても、２００５年にＴＴＣ（Ｔｅｌｅｃｏｍｍｕｎｉｃａｔｉｏｎ  Ｔｅｃｈｎｏｌｏｇｙ）にＮＧＮアーキテクチャ専門委員会が設置され、接続インターフェースの標準化作業が進められている。
【０００４】
また、従来の銅線の加入者回線に代わって光ファイバによる高速かつ安定した品質のブロードバンドアクセスの需要が本格的に立ち上がり、国内の光アクセスサービス（ＦＴＴＨ）は１０００万加入に達しており、またＩＰ電話の利用も増大してきている。
【０００５】
インターネットすなわちＩＰネットワーク上でのＶｏＩＰ（Ｖｏｉｃｅ  ｏｖｅｒ  Ｉｎｔｅｒｎｅｔ  Ｐｒｏｔｏｃｏｌ）によるＩＰ電話が普及し始めてから１０数年以上経過し、また長い間、社会インフラとしての地位を確立してきたＰＳＴＮ（Ｐｕｂｌｉｃ  Ｓｗｉｔｃｈｅｄ  Ｔｅｌｅｐｈｏｎｅ  Ｎｅｔｗｏｒｋ）に光アクセスサービス（ＦＴＴＨ）を用いたＶｏＩＰが導入されてからも５年以上になる。
【０００６】
こうした状況を踏まえ、通信サービス提供事業者は、光ファイバ通信とＩＰ通信を融合させたＮＧＮの開発を一斉に開始している（非特許文献１および２参照）。
【先行技術文献】
【非特許文献】
【０００７】
【非特許文献１】ＮＴＴ技術ジャーナル２００６．４  「ＥＴＳＩＴＩＳＰＡＮのＮＧＮ標準化動向」
【非特許文献２】ＮＴＴ技術ジャーナル２００７．４  「ＮＧＮが提供する新しいコミュニケーションとそれを支える技術」
【発明の概要】
【発明が解決しようとする課題】
【０００８】
ＮＧＮの普及に伴い、ＩＰ電話等のユーザ装置の収容先を、光アクセスサービス（光電話ユーザ網）からＮＧＮ網に変更すること、つまり、通信装置の収容先を変更することが考えられる。このため、通信装置の収容先を効率よく変更する技術が望まれる。
【０００９】
本発明の目的は、通信装置の収容先を効率よく変更することが可能な、通信装置の収容先の変更方法および通信システムを提供することである。
【課題を解決するための手段】
【００１０】
本発明の通信装置の収容先の変更方法は、第１通信網内に設けられ当該第１通信網への通信装置の収容を制御する第１制御手段と、第２通信網内に設けられ当該第２通信網への通信装置の収容を制御する第２制御手段と、所定通信装置の収容先のアドレス情報を格納する管理手段と、移行制御手段と、を含む通信システムでの通信装置の収容先の変更方法であって、前記移行制御手段が、前記所定通信装置の収容先を前記第１通信網から前記第２通信網に切り替える旨の切替指示を受け付けると、前記管理手段内の前記所定通信装置の収容先のアドレス情報を、前記第１制御手段のアドレス情報から前記第２制御手段のアドレス情報に書き換え、前記管理手段が、前記所定通信装置の収容先のアドレス情報の変更後に前記所定通信装置から取得要求を受信すると、前記第２制御手段のアドレス情報を、前記所定通信装置に送信し、前記第２制御手段が、前記所定通信装置が前記第２制御手段のアドレス情報を用いて送信した、前記所定通信装置と通信するためのレジスタ情報を受信すると、当該レジスタ情報を格納して、前記所定通信装置を前記第２通信網に収容する。
【００１１】
また、本発明の通信システムは、第１通信網内に設けられ当該第１通信網への通信装置の収容を制御する第１制御手段と、第２通信網内に設けられ当該第２通信網への通信装置の収容を制御する第２制御手段と、所定通信装置の収容先のアドレス情報を格納する管理手段と、前記所定通信装置の収容先を前記第１通信網から前記第２通信網に切り替える旨の切替指示を受け付けると、前記管理手段内の前記所定通信装置の収容先のアドレス情報を、前記第１制御手段のアドレス情報から前記第２制御手段のアドレス情報に書き換える移行制御手段と、を含み、前記管理手段は、前記所定通信装置の収容先のアドレス情報の変更後に前記所定通信装置から取得要求を受信すると、前記第２制御手段のアドレス情報を、前記所定通信装置に送信し、前記第２制御手段は、前記所定通信装置が前記第２制御手段のアドレス情報を用いて送信した、前記所定通信装置と通信するためのレジスタ情報を受信すると、当該レジスタ情報を格納して、前記所定通信装置を前記第２通信網に収容する。
【発明の効果】
【００１２】
本発明によれば、通信装置の収容先を効率よく変更することが可能になる。
【００１３】
例えば、ＮＧＮの加入者呼制御装置に、通信装置の番号を変更せず、加入者収容エッジを新設しないで、光電話ユーザのデータ（ＳＯとカスコンデータ）を引き継ぐことができる。
【００１４】
また、本発明によれば、サービス中断時間を極力短くし、ユーザへの影響が少なく、収容移行作業が効率よく短時間に実行できるので、例えば、ＮＧＮへの加入者の増加、特にサービス開始時点でのサービス利用者数の増加に役立つ可能性がある。
【図面の簡単な説明】
【００１５】
【図１】加入者単位での収容替えの概要説明図である。
【図２】加入者収容エッジ単位での収容替えの概要説明図である。
【図３】加入者単位の移行手順の概要を示す説明図である。
【図４】加入者単位の移行動作を説明するための説明図である。
【図５】加入者単位の移行動作を説明するための説明図である。
【図６】加入者単位の移行動作を説明するための説明図である。
【図７】加入者単位の移行動作を説明するための説明図である。
【図８】加入者単位の移行動作を説明するための説明図である。
【図９】呼処理連携機能−１の説明図である。
【図１０】呼処理連携機能−２の説明図である。
【図１１】加入者収容エッジ単位の移行手順の概要を示す説明図である。
【図１２】加入者収容エッジ単位の移行動作を説明するための説明図である。
【図１３】加入者収容エッジ単位の移行動作を説明するための説明図である。
【図１４】加入者収容エッジ単位の移行動作を説明するための説明図である。
【図１５】加入者収容エッジ単位の移行動作を説明するための説明図である。
【図１６】加入者収容エッジ単位の移行動作を説明するための説明図である。
【発明を実施するための形態】
【００１６】
以下、図を用いて、光電話ユーザ網のユーザを対象としたＮＧＮへの収容網替えの機能の詳細を説明する。
【００１７】
図１は、加入者単位での収容替えの概要説明図であり、図２は、加入者収容エッジ単位での収容替えの概要説明図である。図３は、加入者単位の移行手順の概要であり、図４〜図８は、加入者単位の詳細機能の説明図である。図９は、呼処理連携機能−１の説明図であり、図１０は、呼処理連携機能−２の説明図である。図１１は、加入者収容エッジ単位の移行手順の概要であり、図１２〜図１６は、加入者収容エッジ単位の詳細機能の説明図である。
【００１８】
図１において、ＮＧＮ１は、加入者呼制御装置（以下「ＳＳＣ」と称する）１１と、中継呼制御装置（以下「ＩＳＣ」と称する）１２と、ネットワーク装備管理装置（以下「ＥＭＳ」と称する）１３と、加入者収容エッジ１４と、を含む。加入者収容エッジ１４は、ＶｏＩＰ−ＴＡ（ＩＰ電話ターミナルアダプタ）１５を収容している。光電話ユーザ網２は、加入者収容エッジ２１と、加入者サーバ２２と、を含む。加入者収容エッジ２１は、ＶｏＩＰ−ＴＡ３を収容している。
【００１９】
ＮＧＮ１は、第２通信網の一例であり、光電話ユーザ網２は、第１通信網の一例である。
【００２０】
端末情報書換部３２は、管理手段の一例である。端末情報書換部３２は、少なくとも、ＶｏＩＰ−ＴＡ３の収容先（帰属先）サーバのアドレス情報を格納する。
【００２１】
ＶｏＩＰ−ＴＡ３は、所定通信装置の一例である。ＶｏＩＰ−ＴＡ３は、起動時または再起動時に、端末情報書換部３２に取得要求を送信して、ＶｏＩＰ−ＴＡ３が帰属する（収容される）サーバ（以下「帰属先サーバ」と称する）のアドレス情報を取得する。
【００２２】
ＶｏＩＰ−ＴＡ３は、帰属先サーバのアドレス情報を取得すると、ＶｏＩＰ−ＴＡ３と通信するためのレジスタ（ＲＥＧＩＳＴＥＲ）情報を、帰属先サーバのアドレス情報を用いて、帰属先サーバ（例えば、加入者サーバ２２またはＳＳＣ１１）に送信する。
【００２３】
レジスタ情報は、ＶｏＩＰ−ＴＡ３に接続するための情報、具体的には、ＶｏＩＰ−ＴＡ３の電話番号（ＶｏＩＰ−ＴＡ３のユーザである加入者に割り当てられた電話番号）と、ＶｏＩＰ−ＴＡ３のＩＰアドレス（ＶｏＩＰ−ＴＡ３にルーチングされるアドレス）と、を含む。
【００２４】
帰属先サーバは、レジスタ情報を受信すると、そのレジスタ情報を自己に格納することによって、そのレジスタ情報の送信元を、自己が属する通信網に収容する。
【００２５】
加入者データ管理部（以下「ＳＭＳ」と称する）８は、加入者サーバ２２内の情報を管理する。
【００２６】
加入者サーバ２２は、第１制御手段の一例である。加入者サーバ２２は、光電話ユーザ網２への通信装置（例えば、ＶｏＩＰ−ＴＡ）の収容を制御する。本実施形態では、加入者サーバ２２は、光電話ユーザ網２の呼制御サーバとして機能する。加入者サーバ２２は、ＶｏＩＰ−ＴＡ３を収容している。
【００２７】
加入者サーバ２２は、ＶｏＩＰ−ＴＡ３が光電話ユーザ網２に収容されている場合、ＶｏＩＰ−ＴＡ３のユーザ（加入者）にて登録されＶｏＩＰ−ＴＡ３から送信された情報である加入者情報（以下「カスコンデータ」と称する）と、ＶｏＩＰ−ＴＡ３に対してのサービスオーダ（以下「ＳＯ」と称する）と、ＶｏＩＰ−ＴＡ３のレジスタ情報と、を格納している。なお、加入者サーバ２２は、これらの情報を、加入者サーバ２２内のメモリ（格納手段）に格納している。
【００２８】
カスコンデータは、ＶｏＩＰ−ＴＡ３への接続要求の処理方法を記録する処理方法データの一例である。
【００２９】
カスコンデータは、例えば、迷惑電話拒否サービス機能で登録される電話番号、転送サービス機能で登録される転送先の電話番号などの、ユーザからのカスコン（電話端末で登録する操作）にて登録されるデータである。
【００３０】
ＳＯは、ＶｏＩＰ−ＴＡ３のユーザ（加入者）の識別番号と、ＶｏＩＰ−ＴＡ３の電話番号（加入者に割り当てられた電話番号）と、付加サービスなどへの加入情報などからなる、加入者登録・変更時に網側で保守者が設定するデータである。
【００３１】
加入者サーバ２２は、ＶｏＩＰ−ＴＡ３が光電話ユーザ網２に収容されている間、ＶｏＩＰ−ＴＡ３のカスコンデータに基づいて、さらに言えば、ＶｏＩＰ−ＴＡ３のカスコンデータとレジスタ情報とを用いて、ＶｏＩＰ−ＴＡ３への接続要求を処理する。
【００３２】
ＳＳＣ１１は、第２制御手段の一例である。ＳＳＣ１１は、ＮＧＮ１への通信装置の収容を制御する。
【００３３】
サービスオーダ投入装置４は、ＶｏＩＰ−ＴＡ３の収容先を光電話ユーザ網２からＮＧＮ１に切り替える旨の切替指示（以下、単に「切替指示」と称する）を、例えば、保守者からキーボード等の入力部を介して受け付けると、ＶｏＩＰ−ＴＡ３の収容先が光電話ユーザ網２からＮＧＮ１に切り替わるように、ＳＭＳ８、ＥＭＳ１３および端末情報書換部３２を制御する。
【００３４】
なお、サービスオーダ投入装置４とＳＭＳ８とＥＭＳ１３とで、移行制御手段として機能する移行制御システム１００が構成される。
【００３５】
移行制御システム１００は、切替指示を受け付けると、端末情報書換部３２に格納されている、ＶｏＩＰ−ＴＡ３の収容先のアドレス情報を、加入者サーバ２２のアドレス情報からＳＳＣ１１のアドレス情報に書き換える。
【００３６】
端末情報書換部３２は、ＶｏＩＰ−ＴＡ３の収容先のアドレス情報が加入者サーバ２２のアドレス情報からＳＳＣ１１のアドレス情報に変更された後に、ＶｏＩＰ−ＴＡ３から取得要求を受信すると、ＳＳＣ１１のアドレス情報を、ＶｏＩＰ−ＴＡ３に送信する。
【００３７】
ＳＳＣ１１は、ＶｏＩＰ−ＴＡ３がＳＳＣ１１のアドレス情報を用いて送信した、ＶｏＩＰ−ＴＡ３のレジスタ情報を受信すると、そのレジスタ情報を格納することによって、ＶｏＩＰ−ＴＡ３をＮＧＮ１に収容する。
【００３８】
このため、ＳＳＣ１１は、ＶｏＩＰ−ＴＡ３の新たな電話番号、および、ＶｏＩＰ−ＴＡ３用の新たな加入者収容エッジを設けることなく、光電話ユーザ網２に収容されていたＶｏＩＰ−ＴＡ３を、ＮＧＮ１収容することができる。
【００３９】
ＳＳＣ１１は、このレジスタ情報を、ＳＳＣ１１内のメモリ（記憶手段）に格納する。
【００４０】
また、移行制御システム１００は、切替指示を受け付けると、さらに、加入者サーバ２２内のＶｏＩＰ−ＴＡ３のカスコンデータを収集し、ＶｏＩＰ−ＴＡ３のカスコンデータを、ＳＳＣ１１に送信する。
【００４１】
本実施形態では、移行制御システム１００は、切替指示を受け付けると、加入者サーバ２２内のＶｏＩＰ−ＴＡ３のカスコンデータの変更を禁止し、その後、加入者サーバ２２内のＶｏＩＰ−ＴＡ３のカスコンデータを読み取ることによって収集する。
【００４２】
このため、カスコンデータの収集時に、カスコンデータが変更されることを防止でき、例えば、変更途中のカスコンデータを収集してしまうことを防止できる。
【００４３】
ＳＳＣ１１は、移行制御システムからＶｏＩＰ−ＴＡ３のカスコンデータを受信すると、そのカスコンデータを自己（例えば、自己内の記憶手段としてのメモリ）に格納し、ＶｏＩＰ−ＴＡ３がＮＧＮ１に収容されている間、ＶｏＩＰ−ＴＡ３のカスコンデータ、さらに言えば、ＶｏＩＰ−ＴＡ３のカスコンデータとレジスタ情報とを用いて、ＶｏＩＰ−ＴＡ３への接続要求を処理する。
【００４４】
このため、光電話ユーザ網２で使用されていたＶｏＩＰ−ＴＡ３のカスコンデータを、ＮＧＮ１で、引き継ぐことが可能になる。
【００４５】
ＳＳＣ１１は、ＶｏＩＰ−ＴＡ３のカスコンデータを格納してからＶｏＩＰ−ＴＡ３のレジスタ情報を受信するまでの間、ＶｏＩＰ−ＴＡ３のカスコンデータの変更を禁止する。
【００４６】
このため、収容先の移行が完全に終了する前に、カスコンデータが変更されてしまうことを防止できる。
【００４７】
また、端末情報書換部３２は、ＳＳＣ１１のアドレス情報をＶｏＩＰ−ＴＡ３に送信すると、送信済み情報を、移行制御システム１００に送信する。
【００４８】
移行制御システム１００は、送信済み情報を受信すると、加入者サーバ２２内のＶｏＩＰ−ＴＡ３のカスコンデータを削除する。
【００４９】
この場合、収容先の移行の終了に伴い、不要となった加入者サーバ２２内のＶｏＩＰ−ＴＡ３のカスコンデータを自動的に削除することができる。
【００５０】
また、加入者サーバ２２は、ＶｏＩＰ−ＴＡ３への接続要求を受け付けた状況において、ＶｏＩＰ−ＴＡ３が既にＮＧＮ１に収容されている場合には、その接続要求をＳＳＣ１１に送信し、ＶｏＩＰ−ＴＡ３がまだＮＧＮ１に収容されていない場合には、その接続要求を光電話ユーザ網２に収容されているＶｏＩＰ−ＴＡ３に提供する。
【００５１】
また、ＳＳＣ１１は、ＶｏＩＰ−ＴＡ３への接続要求を受け付けた状況において、ＶｏＩＰ−ＴＡ３が既にＮＧＮ１に収容されている場合には、その接続要求をＶｏＩＰ−ＴＡ３に送信し、ＶｏＩＰ−ＴＡ３がまだＮＧＮ１に収容されていない場合には、その接続要求を加入者サーバ２２に送信する。
【００５２】
この場合、可能な限り、ＶｏＩＰ−ＴＡ３に接続要求を送信することが可能になり、ＶｏＩＰ−ＴＡ３のユーザに、ＶｏＩＰ−ＴＡ３で着信できないという不都合を生じさせることを回避可能になる。
【００５３】
次に、動作の概要を説明する。
【００５４】
サービスオーダ投入装置４は、キーボード等を介して、保守者から切替指示を受け付けると、ＳＭＳ８に、ＶｏＩＰ−ＴＡ３の移行を準備する旨の準備指示を投入する。
【００５５】
ＳＭＳ８は、準備指示を受信すると、ＶｏＩＰ−ＴＡ３が移行中である旨の設定と、ＶｏＩＰ−ＴＡ３のカスコンデータの変更を規制する旨の設定と、の両方を行う旨の設定指示を、ＶｏＩＰ−ＴＡ３を収容している加入者サーバ２２に投入する。
【００５６】
加入者サーバ２２は、設定指示を受信すると、ＶｏＩＰ−ＴＡ３のＳＯに、移行中を示す情報（例えば、移行中を示すフラグ）を付加して、ＳＯに移行中を設定し、また、ＶｏＩＰ−ＴＡ３のカスコンデータの変更を規制（例えば、禁止）する。
【００５７】
ＶｏＩＰ−ＴＡ３のＳＯが移行中と設定されたため、加入者サーバ２２は、ＶｏＩＰ−ＴＡ３が移行中であると認識する。
【００５８】
ＳＭＳ８は、その後、加入者サーバ２２から、ＶｏＩＰ−ＴＡ３のカスコンデータを収集する。
【００５９】
続いて、サービスオーダ投入装置４は、ＶｏＩＰ−ＴＡ３に対する新たなＳＯ（以下「新ＳＯ」と称する）を、ＥＭＳ１３に投入する。
【００６０】
なお、新ＳＯは、保守者によって作成され、移行先のＳＳＣ１１用のデータ様式に対応している。
【００６１】
ＥＭＳ１３は、新ＳＯを受信すると、ＳＭＳ８から、ＳＭＳ８が収集したＶｏＩＰ−ＴＡ３のカスコンデータを取得する。
【００６２】
ＥＭＳ１３は、ＶｏＩＰ−ＴＡ３のカスコンデータを取得すると、ＶｏＩＰ−ＴＡ３のカスコンデータを、ＳＳＣ１１用のデータ様式に変換する。
【００６３】
また、ＥＭＳ１３は、移行中を示す情報（例えば、移行中を示すフラグ）を、新ＳＯに付加して、新ＳＯに移行中を設定する。
【００６４】
ＥＭＳ１３は、移行中設定された新ＳＯと、変換後のカスコンデータとを、ＳＳＣ１１に投入する。
【００６５】
ＳＳＣ１１は、移行中設定された新ＳＯと、変換後のカスコンデータと、を受け付けると、移行中設定された新ＳＯと、変換後のカスコンデータとを、ＳＳＣ１１、例えば、ＳＳＣ１１内のメモリ（記憶手段）に格納する。
【００６６】
新ＳＯには移行中が設定されているため、ＳＳＣ１１は、新ＳＯにて表された電話番号を持つ通信装置（具体的には、ＶｏＩＰ−ＴＡ３）が、移行中であると認識する。
【００６７】
また、サービスオーダ投入装置４は、端末情報書換部３２内に、ＶｏＩＰ−ＴＡ３の識別情報（例えば、ＶｏＩＰ−ＴＡ３の電話番号）と関連づけて格納されている、帰属サーバのアドレス情報（加入者サーバ２２のアドレス情報）を、ＳＳＣ１１のアドレス情報に書き換える。
【００６８】
この状態で、ＶｏＩＰ−ＴＡ３の電源がＯＦＦ／ＯＮされて、ＶｏＩＰ−ＴＡ３が再起動すると、ＶｏＩＰ−ＴＡ３は、端末情報書換部３２から、自己の識別情報に関連づけられているＳＳＣ１１のアドレス情報を取得し、ＳＳＣ１１のアドレス情報を、帰属サーバのアドレス情報として設定する。
【００６９】
この設定動作によって、ＶｏＩＰ−ＴＡ３の帰属サーバのアドレス情報は、加入者サーバ２２のアドレス情報からＳＳＣ１１のアドレス情報に変更される。
【００７０】
ＶｏＩＰ−ＴＡ３は、ＳＳＣ１１のアドレス情報を設定すると、ＳＳＣ１１のアドレス情報を用いて、自己のレジスタ情報を、ＳＳＣ１１に送信する。
【００７１】
ＳＳＣ１１は、ＶｏＩＰ−ＴＡ３のレジスタ情報を受け付けると、ＶｏＩＰ−ＴＡ３のレジスタ情報を、新ＳＯおよびカスコンデータと共に格納する。
【００７２】
以上の動作によって、ＶｏＩＰ−ＴＡ３の収容先が、光電話ユーザ網２からＮＧＮ１に変更される。
【００７３】
なお、上記動作は、図１のＳＯ関連処理を表す点線で説明される。
【００７４】
光電話ユーザ網２の加入者端末であるＶｏＩＰ−ＴＡ３が、ＮＧＮ１の加入者端末であるＶｏＩＰ−ＴＡ１５と通信する場合、収容替え前の通信経路は、ＶｏＩＰ−ＴＡ３から、光電話ユーザ網２の加入者収容エッジ２１および加入者サーバ２２、そして、ＮＧＮ１のＩＳＣ１２とＳＳＣ１１と加入者収容エッジ１４とを経由して、ＶｏＩＰ−ＴＡ１５に至る経路である。
【００７５】
一方、収容替え後には、ＶｏＩＰ−ＴＡ３は、ＳＳＣ１１つまりＮＧＮ１に収容され、ＶｏＩＰ−ＴＡ３とＶｏＩＰ−ＴＡ１５との通信経路は、ＶｏＩＰ−ＴＡ３から、加入者収容エッジ２１を経て、ＮＧＮ１のＳＳＣ１１と加入者収容エッジ１４とを経由して、ＶｏＩＰ−ＴＡ１５に至る経路となる。
【００７６】
なお、上記通信経路は、図１の呼処理を表す実線で説明される。
【００７７】
呼制御装置（具体的には、加入者サーバ２２およびＳＳＣ１１）は、ＳＩＰ（Ｓｅｓｓｉｏｎ  Ｉｎｉｔｉａｔｉｏｎ  Ｐｒｏｔｏｃｏｌ）を用いたセッション確立とサービス制御機能を備えている。
【００７８】
ＶｏＩＰ−ＴＡ３およびＶｏＩＰ−ＴＡ１５は、ＳＩＰによるＮＧＮ１との通信部と、音声データのＩＰパケット変換部と、を備えている。
【００７９】
図２は、加入者収容エッジ単位の収容替えの場合であってオフラインツール３０を利用しての収容替えをする。なお、図２において、図１に示したものと同一機能を有するものには同一符号を付してある。
【００８０】
図２では、加入者収容エッジ２１には、移行対象となる複数のＶｏＩＰ−ＴＡが接続されているとする。
【００８１】
加入者サーバ２２は、移行対象となるＶｏＩＰ−ＴＡごとに、移行対象となるＶｏＩＰ−ＴＡと対応づけて、そのＶｏＩＰ−ＴＡのカスコンデータを格納し、そのＶｏＩＰ−ＴＡが光電話ユーザ網２に収容されている間、そのＶｏＩＰ−ＴＡに対応するカスコンデータに基づいて、さらに言えば、そのＶｏＩＰ−ＴＡ３のカスコンデータとレジスタ情報とを用いて、そのＶｏＩＰ−ＴＡ３への接続要求を処理する。
【００８２】
オフラインツール３０は、パソコンなどのワークステーション上で動作するソフトウェアである。
【００８３】
オフラインツール３０は、ユーザ毎ではなく大量加入者のデータをまとめて処理するために、外部ツールにてデータ生成を行うことを目的として設けられている。
【００８４】
図２では、サービスオーダ投入装置４とＳＭＳ８とＥＭＳ１３とオフラインツール３０とを含む移行制御システム１００Ａが、移行制御手段として機能する。
【００８５】
移行制御システム１００Ａは、移行制御システム１００と同様の機能を有し、また、切替指示を受け付けると、さらに、加入者サーバ２２に格納されている複数のカスコンデータを収集し、その複数のカスコンデータをまとめて、ＳＳＣ１１に送信する。
【００８６】
サービスオーダ投入装置４は、加入者収容エッジ２１に収容されているＶｏＩＰ−ＴＡごとに、端末情報書換部３２内に、ＶｏＩＰ−ＴＡの識別情報と関連づけて格納されている、帰属サーバのアドレス情報（加入者サーバ２２のアドレス情報）を、ＳＳＣ１１のアドレス情報に書き換える。
【００８７】
オフラインツール３０は、加入者収容エッジ２１に収容されているＶｏＩＰ−ＴＡのそれぞれに１対１で対応する複数のＳＯ（以下「移行元ＳＯ」と称する）を含む移行元ＳＯファイルを、サービスオーダ投入装置４から収集する。
【００８８】
なお、移行元ＳＯは、加入者サーバ２２用のデータ様式に対応している。
【００８９】
オフラインツール３０は、各移行元ＳＯをＳＳＣ１１用のデータ様式に変換することによって、ＳＯ投入データを作成し、ＳＯ投入データ内の各移行元ＳＯに、移行中を示す情報（例えば、移行中を示すフラグ）を付加して、各移行元ＳＯに移行中を設定する。
【００９０】
また、オフラインツール３０は、カスコンデータ出力要求を、ＳＭＳ８に送信する。
【００９１】
ＳＭＳ８は、カスコンデータ出力要求を受け付けると、加入者収容エッジ２１に収容されている各ＶｏＩＰ−ＴＡが移行中である旨の設定と、各ＶｏＩＰ−ＴＡのカスコンデータの変更を規制する旨の設定と、の両方を行う旨のエッジ単位設定指示を、加入者収容エッジ２１を収容している加入者サーバ２２に投入する。
【００９２】
加入者サーバ２２は、エッジ単位設定指示を受け付けると、加入者収容エッジ２１に収容されている各ＶｏＩＰ−ＴＡの移行元ＳＯに、移行中を示す情報（例えば、移行中を示すフラグ）を付加して、移行元ＳＯに移行中を設定し、また、加入者収容エッジ２１に収容されている各ＶｏＩＰ−ＴＡのカスコンデータの変更を規制（例えば、禁止）する。
【００９３】
加入者収容エッジ２１に収容されている各ＶｏＩＰ−ＴＡの移行元ＳＯが、移行中と設定されたため、加入者サーバ２２は、加入者収容エッジ２１に収容されている各ＶｏＩＰ−ＴＡが移行中であると認識する。
【００９４】
ＳＭＳ８は、その後、加入者サーバ２２から、加入者収容エッジ２１に収容されている各ＶｏＩＰ−ＴＡのカスコンデータを収集する。
【００９５】
また、オフラインツール３０は、ＳＭＳ８から、加入者収容エッジ２１に収容されているＶｏＩＰ−ＴＡのそれぞれのカスコンデータを収集する。
【００９６】
オフラインツール３０は、各カスコンデータと、移行中設定されたＳＯ投入データと、をマージ（結合）して、ＳＯ／カスコンファイルを生成し、ＳＯ／カスコンファイルを、ＳＳＣ１１への投入データ様式に変換する。
【００９７】
続いて、オフラインツール３０は、変換後のＳＯ／カスコンファイルを、ＥＭＳ１３に出力する。
【００９８】
ＥＭＳ１３は、変換後のＳＯ／カスコンファイルを受け付けると、そのＳＯ／カスコンファイルと共に、大量加入者データ投入コマンドを、ＳＳＣ１１に投入する。
【００９９】
ＳＳＣ１１は、ＳＯ／カスコンファイルと共に大量加入者データ（大加データ）投入コマンドを受け付けると、ＳＯ／カスコンファイルを格納する。ここで格納されたＳＯが移行先ＳＯとなる。
【０１００】
各移行先ＳＯには移行中が設定されているため、ＳＳＣ１１は、各移行先ＳＯにて表された電話番号を持つ通信装置（具体的には、加入者収容エッジ２１に収容されているＶｏＩＰ−ＴＡ）が、移行中であると認識する。
【０１０１】
この状態で、加入者収容エッジ２１に収容されている各ＶｏＩＰ−ＴＡ（例えば、ＶｏＩＰ−ＴＡ３）の電源がＯＦＦ／ＯＮされて、各ＶｏＩＰ−ＴＡが再起動すると、各ＶｏＩＰ−ＴＡは、端末情報書換部３２から、自己の識別情報に関連づけられているＳＳＣ１１のアドレス情報を取得し、ＳＳＣ１１のアドレス情報を、帰属サーバのアドレス情報として設定する。
【０１０２】
この設定動作によって、加入者収容エッジ２１に収容されている各ＶｏＩＰ−ＴＡの帰属サーバのアドレス情報は、加入者サーバ２２のアドレス情報からＳＳＣ１１のアドレス情報に変更される。
【０１０３】
加入者収容エッジ２１に収容されている各ＶｏＩＰ−ＴＡは、ＳＳＣ１１のアドレス情報を設定すると、ＳＳＣ１１のアドレス情報を用いて、自己のレジスタ情報を、ＳＳＣ１１に送信する。
【０１０４】
ＳＳＣ１１は、加入者収容エッジ２１に収容されている各ＶｏＩＰ−ＴＡのレジスタ情報を受け付けると、それらＶｏＩＰ−ＴＡのレジスタ情報を、移行先ＳＯおよびカスコンデータと共に格納する。
【０１０５】
以上の動作によって、加入者収容エッジ２１に収容されている各ＶｏＩＰ−ＴＡの収容先が、光電話ユーザ網２からＮＧＮ１に変更される。
【０１０６】
なお、上記動作は、図２のＳＯ関連処理を表す点線で説明される。
【０１０７】
収容替えの前後における呼処理のルート変更は、図１の場合と同じであって実線で表されている。なお、加入者収容エッジ配下には複数のＶｏＩＰ−ＴＡが存在し、全てのＶｏＩＰ−ＴＡの収容替えが行われる。
【０１０８】
図３は、加入者単位で行う移行手順の概要を示した説明図である。
【０１０９】
図３を参照すると、まず、大括りの移行フェーズとして、所データが関連する切替準備のフェーズと、加入者データが関連する切替中１のフェーズと、端末データ（ＶｏＩＰ−ＴＡ）と加入者データ（カスコンデータ）が関連する切替中２のフェーズとがある。
【０１１０】
また、それぞれの移行手順として、（１）局番展開、（２−１）移行元加入者移行中設定、（２−２）収容替えオーダ（ＳＯ）投入、（３−１）ＶｏＩＰ−ＴＡ設定情報の設定、（３−２）ＶｏＩＰ−ＴＡの再起動（例えば電源ＯＦＦ／ＯＮ）とがある。（１）と（２−１）を図４で、（２−２）を図５で、（３−１）を図６で、（３−２）を図７と図８で説明する。
【０１１１】
以下、移行フローの詳細を、図４から図８を参照して説明する。
【０１１２】
図４は、移行先の切替準備から、移行元に「移行中を設定しカスコンデータの収集」を指示するまでの動作を説明するための説明図である。
【０１１３】
ステップ１０１では、保守者は、ＭＥＳ１３の入力部（例えば、キーボード）を操作して、契約者収容の関連所データをＳＳＣ１１に設定し、局番を展開する旨の設定展開コマンドを入力する。なお、関連所データは、移行対象のＶｏＩＰ−ＴＡ３の電話番号が属する番号帯を表す。ＥＭＳ１３は、設定展開コマンドを受け付けると、移行先のＳＳＣ１１とＩＳＣ１２に、設定展開コマンドを送信する。
【０１１４】
続いて、ステップ１０２では、ＳＳＣ１１は、設定展開コマンドを受け付けると、設定展開コマンドに示された番号帯を格納して、その番号帯に対応する局番を展開して格納する。
【０１１５】
また、ステップ１０３では、ＩＳＣ１２は、設定展開コマンドを受け付けると、ＳＳＣ１１が契約者収容の関連所データを設定し、その番号帯に対応する局番を展開した旨の情報を格納する。ＩＳＣ１２は、この情報を、接続要求（ＩＮＶＩＴＥ）等のルーチングの際に使用する。
【０１１６】
また、ステップ１０４では、サービスオーダ投入装置４は、保守者に操作されることによって、ＳＭＳ８に、ＶｏＩＰ−ＴＡ３の移行を準備する旨の準備指示を投入する。
【０１１７】
続いて、ステップ１０５では、ＳＭＳ８は、準備指示を受け付けると、ＶｏＩＰ−ＴＡ３が移行中である旨の設定と、カスコンデータの変更を規制する旨の設定と、の両方を行う旨の設定指示を、加入者サーバ２２に投入する。
【０１１８】
続いて、ステップ１０６では、加入者サーバ２２は、設定指示を受け付けると、ＶｏＩＰ−ＴＡ３の移行元ＳＯに、移行中を示す情報を付加して、移行元ＳＯに移行中を設定し、また、カスコンデータの変更を規制（例えば、禁止）する。
【０１１９】
ＶｏＩＰ−ＴＡ３のＳＯが移行中と設定されたため、加入者サーバ２２は、ＶｏＩＰ−ＴＡ３が移行中であると認識する。
【０１２０】
ＳＭＳ８は、その後、加入者サーバ２２から、ＶｏＩＰ−ＴＡ３のカスコンデータを収集する。
【０１２１】
図５に示した移行フェーズ切替中１（移行手順２−２）では、サービスオーダ投入装置４からのＳＯの投入の手順から移行先のカスコンデータ設定までの手順が行われる。
【０１２２】
ステップ１０７では、サービスオーダ投入装置４は、ＶｏＩＰ-ＴＡ３に対する新ＳＯを、ＥＭＳ１３に投入し、「移行中設定」と「ＳＯの設定」とを指示する。
【０１２３】
続いて、ステップ１０８では、ＥＭＳ１３が、新ＳＯを受信する。
【０１２４】
続いて、ステップ１０９では、ＥＭＳ１３は、新ＳＯを受信すると、ＳＭＳ８に、ＳＭＳ８が収集したカスコンデータ、つまり、ＶｏＩＰ−ＴＡ３のカスコンデータを要求する。
【０１２５】
続いて、ステップ１１０では、ＳＭＳ８は、ＶｏＩＰ−ＴＡ３のカスコンデータを要求されると、ＶｏＩＰ−ＴＡ３のカスコンデータを、ＥＭＳ１３に提供する。
【０１２６】
続いて、ステップ１１１では、ＥＭＳ１３は、カスコンデータを取得すると、そのカスコンデータを、ＳＳＣ１１用のデータ様式に変換する。また、ＥＭＳ１３は、移行中を示す情報を、新ＳＯに付加して、新ＳＯに移行中を設定する。ＥＭＳ１３は、移行中設定された新ＳＯと、変換後のカスコンデータとを、ＳＳＣ１１に投入する。
【０１２７】
続いて、ステップ１１２では、ＳＳＣ１１は、移行中設定された新ＳＯと、変換後のカスコンデータと、を受け付けると、移行中設定された新ＳＯと、変換後のカスコンデータと、を格納し、また、変換後のカスコンデータを変更することを規制（禁止）する。
【０１２８】
新ＳＯには移行中が設定されているため、ＳＳＣ１１は、新ＳＯにて表された電話番号を持つ通信装置（具体的には、ＶｏＩＰ−ＴＡ３）が、移行中であると認識する。
【０１２９】
ステップ１１２のアクション完了後、移行先加入者は移行中設定されているので、ＳＳＣ１１と加入者サーバ２２は、呼処理連携状態となり、移行先加入者のＶｏＩＰ−ＴＡ３に着信した呼は、移行元加入者のＶｏＩＰ−ＴＡ３にルーチングされる（図９、図１０を参照）。また、ＳＳＣ１１では、カスコンデータ変更規制が行われる。
【０１３０】
図６に示した移行フェーズ切替中２（移行手順３−１）では、サービスオーダ投入装置４が、端末情報書換部３２に、ＶｏＩＰ−ＴＡ３の設定情報に関する帰属サーバのアドレス情報を書き換えて設定する。
【０１３１】
ステップ１１３では、サービスオーダ投入装置４は、ＶｏＩＰ−ＴＡ３の設定情報の設定指示を、端末情報書換部３２に出力する。ＶｏＩＰ−ＴＡ３の設定情報の設定指示は、端末情報書換部３２内に、ＶｏＩＰ−ＴＡ３の識別情報と関連づけて格納されている、帰属サーバのアドレス情報（加入者サーバ２２のアドレス情報）を、ＳＳＣ１１のアドレス情報に書き換える旨を示す。
【０１３２】
続いて、ステップ１１４では、端末情報書換部３２は、ＶｏＩＰ−ＴＡ３の設定情報の設定指示を受信すると、端末情報書換部３２内に、ＶｏＩＰ−ＴＡ３の識別情報と関連づけて格納されている、帰属サーバのアドレス情報（加入者サーバ２２のアドレス情報）を、ＳＳＣ１１のアドレス情報に書き換える。
【０１３３】
図７に示した移行フェーズ切替中２（移行手順３−２）では、ＶｏＩＰ−ＴＡ３の再起動により、以下の動作を行う。
【０１３４】
ステップ１１５では、ＶｏＩＰ−ＴＡ３が再起動（例えば電源ＯＦＦ／ＯＮ）される。
【０１３５】
続いて、ステップ１１６では、ＶｏＩＰ−ＴＡ３は、端末情報書換部３２へアクセスし、端末情報書換部３２から、自己の識別情報に関連づけられているＳＳＣ１１のアドレス情報を取得し、自己内のＳＳＣ１１のアドレス情報を、帰属サーバのアドレス情報として設定する。
【０１３６】
この設定動作によって、ＶｏＩＰ−ＴＡ３の帰属サーバのアドレス情報は、加入者サーバ２２のアドレス情報からＳＳＣ１１のアドレス情報に変更される。
【０１３７】
続いて、ステップ１１７では、ＶｏＩＰ−ＴＡ３は、ＳＳＣ１１のアドレス情報を設定すると、ＳＳＣ１１のアドレス情報を用いて、自己のレジスタ情報を、加入者収容エッジ２１経由で、ＳＳＣ１１に送信する。
【０１３８】
続いて、ステップ１１８では、ＳＳＣ１１は、ＶｏＩＰ−ＴＡ３のレジスタ情報を受け付けると、ＶｏＩＰ−ＴＡ３のレジスタ情報を、新ＳＯおよびカスコンデータと共に格納し、カスコンデータ変更規制を解除する。
【０１３９】
図８に示した移行フェーズ切替中２（移行手順３−２）では、加入者移行中の設定の解除と移行済み加入者情報の削除を行う。
【０１４０】
ステップ１１９では、端末情報書換部３２は、ＶｏＩＰ−ＴＡ３がＳＳＣ１１のアドレス情報を取得すると、ＶｏＩＰ−ＴＡ３が再起動（電源ＯＦＦ／ＯＮ）されたことを、サービスオーダ投入装置４へ通知する。
【０１４１】
続いて、ステップ１２０では、サービスオーダ投入装置４は、ＶｏＩＰ−ＴＡ３が再起動されたことを通知されると、ＥＭＳ１３へ、加入者移行中の解除指示を送信する。
【０１４２】
続いて、ステップ１２１では、ＥＭＳ１３は、解除指示を受信すると、解除指示をＳＳＣ１１に送信する。ＳＳＣ１１は、解除指示を受信すると、新ＳＯに付与されていた移行中を示す情報を削除して、加入者移行中設定を解除する。
【０１４３】
また、ステップ１２２では、サービスオーダ投入装置４は、ＳＭＳ８へ、移行済み加入者の削除指示を送信する。
【０１４４】
続いて、ステップ１２３では、ＳＭＳ８は、削除指示を受信すると、収集済みのカスコンデータを削除し、また、その削除指示を加入者サーバ２２に送信する。
【０１４５】
続いて、ステップ１２４では、加入者サーバ２２は、削除指示を受信すると、ＶｏＩＰ−ＴＡ３のカスコンデータとＳＯを削除する。
【０１４６】
以上により、加入者単位の収容替え機能フローのステップが完了する。
【０１４７】
図９は、移行中加入者にＮＧＮユーザから着信した場合のＳＳＣ１１と加入者サーバ２２との呼処理連携機能の説明図である。
【０１４８】
図９において、左の図が、加入者のＶｏＩＰ−ＴＡ３の再起動以前に着信した場合の機能説明図であり、右の図が、ＶｏＩＰ−ＴＡ３の再起動後に着信した場合の機能説明図である。
【０１４９】
ＳＳＣ１１への移行中加入者のＶｏＩＰ−ＴＡ３宛に、ＶｏＩＰ−ＴＡ３の再起動以前に発信があった場合、ＳＳＣ１１は、ＶｏＩＰ−ＴＡ３のＲＥＧＩＳＴＥＲ情報を有してないため、ＮＧＮ１では着信不可となる。
【０１５０】
このため、移行先ＳＳＣ１１は、新ＳＯの移行中設定を確認し、移行中加入者のＶｏＩＰ−ＴＡ３に着信させようとした際に、ＶｏＩＰ−ＴＡ３のＲＥＧＩＳＴＥＲ情報がない場合は、ＩＳＣ１２経由で、加入者サーバ２２へ呼を転送する。
【０１５１】
なお、３０１返却では、ＳＳＣ１１は、Ｃｏｎｔａｃｔに着信番号＠ＩＳＣ識別子を設定し、ＩＳＣ１２が接続した加入者サーバ２２は、加入者が移行中であるので、ＳＳＣ１１にＲＥＧＩＳＴＥＲの有無をＳＩＰのＩＮＶＩＴＥで問い合わせる。
【０１５２】
しかしながら、ＳＳＣ１１にはＲＥＧＩＳＴＥＲ登録は無しなので、ＳＳＣ１１は、ＳＩＰの３０１で切替え未完了を回答する。
【０１５３】
この確認後、加入者サーバ２２は、加入者のＲＥＧＩＳＴＥＲ登録があるので、移行中であっても切替え未完了と判断して、ＶｏＩＰ−ＴＡ３へ着信接続を行う。
【０１５４】
右の図のＶｏＩＰ−ＴＡ３の再起動後にＶｏＩＰ−ＴＡ３宛に発信した場合には、ＳＳＣ１１に着信すると、ＳＳＣ１１には移行中であってもＲＥＧＩＳＴＥＲ情報があるので、ＳＳＣ１１は、切替完了と判断して、ＳＳＣ１１は、ＶｏＩＰ−ＴＡ３への着信を行う。
【０１５５】
図１０は、移行中加入者に光電話網ユーザから発信した場合のＳＳＣ１１と加入者サーバ２２との呼処理連携機能の説明図である。
【０１５６】
図１０において、左の図が、加入者のＶｏＩＰ−ＴＡ３の再起動以前にＶｏＩＰ−ＴＡ３宛に発信した場合の機能説明図であり、右の図が、ＶｏＩＰ−ＴＡ３の再起動後にＶｏＩＰ−ＴＡ３宛に発信した場合の機能説明図である。
【０１５７】
加入者サーバ２２につながる移行中加入者のＶｏＩＰ−ＴＡ３宛に、ＶｏＩＰ−ＴＡ３の再起動以前に発信した場合、加入者サーバ２２は、加入者のＶｏＩＰ−ＴＡ３が移行中であるので、ＳＳＣ１１にＲＥＧＩＳＴＥＲの有無をＳＩＰのＩＮＶＩＴＥで問い合わせる。
【０１５８】
ＳＳＣ１１にはＲＥＧＩＳＴＥＲ登録は無しなので、ＳＳＣ１１は、ＳＩＰの３０１で切替え未完了を回答する。
【０１５９】
この確認後、加入者サーバ２２は、加入者のＲＥＧＩＳＴＥＲ登録があるので、移行中であっても切替え未完了と判断して、ＶｏＩＰ−ＴＡ３へ着信接続を行う。
【０１６０】
ＶｏＩＰ−ＴＡ３の再起動後にＶｏＩＰ−ＴＡ３宛に発信した場合には、加入者サーバ２２は、加入者が移行中であるので、ＳＳＣ１１にＲＥＧＩＳＴＥＲの有無をＳＩＰのＩＮＶＩＴＥで問い合わせる。
【０１６１】
ＳＳＣ１１にはＲＥＧＩＳＴＥＲ登録が有りなので、ＳＳＣ１１は、ＶｏＩＰ−ＴＡ３への着信を行う。ＶｏＩＰ−ＴＡ３の応答により、ＳＳＣ１１は、加入者サーバ２２へ２００ＯＫを返送する。
【０１６２】
次に、図２に示した加入者収容エッジ単位で収容替えを行う大量加入者の一括収容替えの場合であるが、計画的な大量加入者収容替えであり、移行元からのＳＯ、カスコン情報の収集、移行先ＳＳＣ１１のフォーマットへのデータ変換およびファイル出力を、オフラインツール３０が行う。
【０１６３】
図１１は、加入者収容エッジ単位で行う移行手順の概要を示した説明図である。
【０１６４】
図１１を参照すると、まず、大括りの移行フェーズとして、所データと端末データが関連する切替準備のフェーズと、加入者データが関連する切替中１のフェーズと、端末データと加入者データが関連する切替中２のフェーズとがある。
【０１６５】
また、それぞれの移行手順として、（１−１）局番展開、（１−２）通知サーバ設定情報設定、（１−３）ＶｏＩＰ−ＴＡ設定情報の設定、（２−１）移行元加入者のＳＯ収集／変換、（２−２）移行元加入者の移行中設定、（２−３）移行元加入者のカスコンデータ収集変換、（２−４）移行先加入者のＳＯ／カスコンデータ投入、（３−１）ＶｏＩＰ−ＴＡの再起動とがある。
【０１６６】
（１−１）、（１−２）と（１−３）を図１２で、（２−１）を図１３で、（２−２）を図１４で、（２−３）を図１５で、（２−４）を図１６で説明し、（３−１）は図７と図８で説明される。
【０１６７】
以下、移行フローの詳細を、図１２〜図１６そして図７と図８により説明する。
【０１６８】
図１２は、移行先の切替準備（１−１）から、通知サーバ３３に設定情報を設定（１−２）し、端末情報書換機能３２にＶｏＩＰ−ＴＡ設定情報を設定（１−３）する動作を説明するための説明図である。
【０１６９】
ステップ２０１では、保守者は、ＭＥＳ１３の入力部を操作して、契約者収容の関連所データをＳＳＣ１１に設定し、局番を展開する旨の設定展開コマンドを入力する。なお、関連所データは、移行対象のＶｏＩＰ−ＴＡ、つまり、加入者収容エッジ２１に収容されている各ＶｏＩＰ−ＴＡの電話番号が属する番号帯を表す。ＥＭＳ１３は、設定展開コマンドを受け付けると、移行先のＳＳＣ１１とＩＳＣ１２に、設定展開コマンドを送信する。
【０１７０】
続いて、ステップ２０２では、ＳＳＣ１１は、設定展開コマンドを受け付けると、設定展開コマンドに示された番号帯を格納して、その番号帯に対応する局番を展開して格納する。また、ＩＳＣ１２は、設定展開コマンドを受け付けると、ＳＳＣ１１が契約者収容の関連所データを設定し、その番号帯に対応する局番を展開した旨の情報を格納する。
【０１７１】
ステップ２０３では、サービスオーダ投入装置４が、通知サーバ３３に、設定情報「工事時間」を設定する。
【０１７２】
工事時間は、移行元から移行先への移行時間を示し、この工事時間は、予め設定されている。なお、この工事時間は、ユーザ単位、さらに言えば、ＶｏＩＰ−ＴＡ単位で、通知サーバ３３に設定される。
【０１７３】
続いて、ステップ２０４では、サービスオーダ投入装置４は、加入者収容エッジ２１に収容されているＶｏＩＰ−ＴＡの設定情報の設定指示を、端末情報書換部３２に出力する。
【０１７４】
加入者収容エッジ２１に収容されているＶｏＩＰ−ＴＡの設定情報の設定指示は、加入者収容エッジ２１に収容されているＶｏＩＰ−ＴＡごとに、端末情報書換部３２内に、ＶｏＩＰ−ＴＡの識別情報と関連づけて格納されている、帰属サーバのアドレス情報（加入者サーバ２２のアドレス情報）を、ＳＳＣ１１のアドレス情報に書き換える旨を示す。
【０１７５】
続いて、ステップ２０５では、端末情報書換部３２は、加入者収容エッジ２１に収容されているＶｏＩＰ−ＴＡの設定情報の設定指示を受信すると、加入者収容エッジ２１に収容されているＶｏＩＰ−ＴＡごとに、端末情報書換部３２内に、ＶｏＩＰ−ＴＡの識別情報と関連づけて格納されている、帰属サーバのアドレス情報（加入者サーバ２２のアドレス情報）を、ＳＳＣ１１のアドレス情報に書き換える。
【０１７６】
図１３は、オフラインツール３０が、サービスオーダ投入装置４を介して、移行元ＳＯを収集し、移行元ＳＯをＳＳＣデータ形式に変換してＳＯ投入データを生成する動作を説明するための説明図である。
【０１７７】
ステップ２０６では、オフラインツール３０は、加入者収容エッジ２１に収容されているＶｏＩＰ−ＴＡのそれぞれに１対１で対応する複数の移行元ＳＯを含む移行元ＳＯファイルを、サービスオーダ投入装置４から収集する。
【０１７８】
続いて、ステップ２０７では、オフラインツール３０は、各移行元ＳＯをＳＳＣ１１用のデータ様式に変換することによって、ＳＯ投入データ（移行先ＳＯ）を作成し、ＳＯ投入データ内の各移行先ＳＯに、移行中を示す情報を付加して、各移行先ＳＯに移行中を設定する。
【０１７９】
図１４は、オフラインツール３０が、移行元サーバにカスコンデータ出力要求を送信し、加入者サーバ２２とＳＭＳ８では、加入者移行中を設定し、カスコンデータの規制状態になる動作を説明するための説明図である。
【０１８０】
ステップ２０８では、オフラインツール３０は、カスコンデータ出力要求を、ＳＭＳ８に送信する。
【０１８１】
続いて、ステップ２０９では、ＳＭＳ８は、カスコンデータ出力要求を受け付けると、加入者収容エッジ２１に収容されている各ＶｏＩＰ−ＴＡが移行中である旨の設定と、各ＶｏＩＰ−ＴＡのカスコンデータの変更を規制する旨の設定と、の両方を行う旨のエッジ単位設定指示を、加入者収容エッジ２１を収容している加入者サーバ２２に投入する。
【０１８２】
続いて、ステップ２１０では、加入者サーバ２２は、エッジ単位設定指示を受け付けると、加入者収容エッジ２１に収容されている各ＶｏＩＰ−ＴＡの移行元ＳＯに、移行中を示す情報を付加して、移行元ＳＯに移行中を設定し、また、加入者収容エッジ２１に収容されている各ＶｏＩＰ−ＴＡのカスコンデータの変更を規制（例えば、禁止）する。
【０１８３】
加入者収容エッジ２１に収容されている各ＶｏＩＰ−ＴＡの移行元ＳＯが移行中と設定されたため、加入者サーバ２２は、加入者収容エッジ２１に収容されている各ＶｏＩＰ−ＴＡが移行中であると認識する。
【０１８４】
ＳＭＳ８は、その後、加入者サーバ２２から、加入者収容エッジ２１に収容されている各ＶｏＩＰ−ＴＡのカスコンデータを収集する。
【０１８５】
図１５は、オフラインツール３０が、移行元のカスコンデータを収集し、移行先用のデータに変換する動作を説明するための説明図である。
【０１８６】
ステップ２１１では、ＳＭＳ８は、加入者収容エッジ２１に収容されている各ＶｏＩＰ−ＴＡのカスコンデータを収集すると、それらカスコンデータを含む移行元カスコンデータファイルを生成し、移行元カスコンデータファイルを、オフラインツール３０に出力する。
【０１８７】
続いて、ステップ２１２では、オフラインツール３０が、ＳＭＳ８から、移行元カスコンデータファイルを受信し、各カスコンデータと、移行中設定されたＳＯ投入データと、をマージ（結合）して、ＳＯ／カスコンファイルを生成し、ＳＯ／カスコンファイルを、ＳＳＣ１１への投入データ様式に変換する。
【０１８８】
図１６は、切替中１（移行フェーズ２−４）の動作を説明するための説明図である。
【０１８９】
ここでは、オフラインツール３０が、移行先サーバ（ＥＭＳ１３）に、移行先加入者のＳＯ／カスコンファイルを出力し、ＥＭＳ１３が、大量加入者データ投入コマンドを実行し、ＳＳＣ１１にＳＯとカスコンデータが設定される。
【０１９０】
本フェーズ完了後から、移行先加入者は呼処理連携状態となり、移行先加入者に発信した呼は、移行元加入者にルーティグされる。
【０１９１】
ステップ２１３では、オフラインツール３０は、変換後のＳＯ／カスコンファイルを、ＥＭＳ１３に出力する。
【０１９２】
続いて、ステップ２１４では、ＥＭＳ１３は、変換後のＳＯ／カスコンファイルを受け付けると、そのＳＯ／カスコンファイルと共に、大量加入者データ投入コマンドを、ＳＳＣ１１に投入する。
【０１９３】
続いて、ステップ２１５では、ＳＳＣ１１は、ＳＯ／カスコンファイルと共に大量加入者データ投入コマンドを受け付けると、ＳＯ／カスコンファイルを格納する。ここで格納されたＳＯが移行先ＳＯとなる。
【０１９４】
各移行先ＳＯには移行中が設定されているため、ＳＳＣ１１は、各移行先ＳＯにて表された電話番号を持つ通信装置（具体的には、加入者収容エッジ２１に収容されているＶｏＩＰ−ＴＡ）が、移行中であると認識する。
【０１９５】
そして、ＳＳＣ１１は、カスコンデータ変更規制を行う。
【０１９６】
ステップ２１５のアクション完了後、移行先加入者は、移行中設定されているので、ＳＳＣ１１と加入者サーバ２２は、呼処理連携状態となり、移行先加入者のＶｏＩＰ−ＴＡに着信した呼は、移行元加入者のＶｏＩＰ−ＴＡ３にルーチングされる（図９、図１０を参照）。
【０１９７】
以上で、加入者収容エッジ単位での収容替えのためのデータ設定が完了し、この状態で、ＶｏＩＰ−ＴＡ３が再起動（例えば電源ＯＦＦ／ＯＮ）すると、ＶｏＩＰ−ＴＡ３は端末情報書換部３２へアクセスすることにより、帰属先サーバのアドレス情報を書き換え、その後、ＳＳＣ１１へレジスタ情報を送信すると、ＳＳＣ１１へ、ＶｏＩＰ−ＴＡ３のレジスタ情報が登録される（図７参照）。
【０１９８】
なお、例えば、工事時間（移行元から移行先への移行が行われる時間）になると、移行元サーバ（本実施形態では、加入者サーバ２２）が、移行対象のＶｏＩＰ−ＴＡのレジスタ情報に対して応答しないようにし、移行対象のＶｏＩＰ−ＴＡは、移行元サーバが無応答になると、通知サーバ３３に問い合わせを行い、工事時間を経過している場合にはＶｏＩＰ−ＴＡ３が再起動する方法もある。
【０１９９】
ＶｏＩＰ−ＴＡ３の再起動を契機として、サービスオーダ投入装置４は、ＳＳＣ１１へ当該ＶｏＩＰ−ＴＡの加入者移行中の解除指示を投入し、ＳＳＣ１１内の移行中状態は解除される。
【０２００】
また、サービスオーダ投入装置４は、移行元の加入者サーバ２２へ、当該ＶｏＩＰ−ＴＡの加入者データの削除指示を投入し、移行元光電話ユーザ網２から移行済み加入者のデータ（カスコンデータとＳＯ）が消去される（図８参照）。
【０２０１】
加入者収容エッジ２１配下の全ＶｏＩＰ−ＴＡが再起動を行うことにより、加入者収容エッジ単位でのＮＧＮ１への収容網替えが完了する。
【０２０２】
加入者収容エッジ単位での移行中における着信呼についても、加入者単位での移行中と同様に行われる（図９、図１０参照）。
【０２０３】
次に、効果を説明する。
【０２０４】
本実施形態によれば、光電話加入者のフロースルーでのＮＧＮへの移行技術は、サービス中断時間を極力短くし、ユーザへの影響が少なく収容移行作業が効率よく短時間に実行できるので、ＮＧＮへの加入者増、特にサービス開始時点でのサービス利用者数の増加に役立つ可能性がある。
【０２０５】
また、本実施形態によれば、移行対象の通信装置の番号を変更せず、加入者収容エッジを新設しないで、光電話ユーザのデータ（カスコンデータ）を引継ぎ、サービス中断時間を極力短くし、ユーザへの影響が少ない収容替えを効率良く行うことが可能になる。
【０２０６】
以上説明した実施形態において、図示した構成は単なる一例であって、本発明はその構成に限定されるものではない。
【符号の説明】
【０２０７】
１      ＮＧＮ
１１    ＳＳＣ
１２    ＩＳＣ
１３    ＥＭＳ
１４    加入者収容エッジ
１５    ＶｏＩＰ−ＴＡ
２      光電話ユーザ網
２１    加入者収容エッジ
２２    加入者サーバ
３      ＶｏＩＰ−ＴＡ
３０    オフラインツール
３２    端末情報書換部
３３    通知サーバ
４      サービスオーダ投入装置
８      ＳＭＳ
１００、１００Ａ  移行制御システム
【図１】
2010199698.tif 000003
【図２】
2010199698.tif 000004
【図３】
2010199698.tif 000005
【図４】
2010199698.tif 000006
【図５】
2010199698.tif 000007
【図６】
2010199698.tif 000008
【図７】
2010199698.tif 000009
【図８】
2010199698.tif 000010
【図９】
2010199698.tif 000011
【図１０】
2010199698.tif 000012
【図１１】
2010199698.tif 000013
【図１２】
2010199698.tif 000014
【図１３】
2010199698.tif 000015
【図１４】
2010199698.tif 000016
【図１５】
2010199698.tif 000017
【図１６】
2010199698.tif 000018